(57)【特許請求の範囲】
【請求項１】
美容器具を収納する容器を任意の高さに配置できる美容器具収納スタンドで
あって、美容ワゴンに取り付け、及び、取り外しができるものであって、
前記美容ワゴンに脱着可能な係止部材と、
前記係止部材に接続し、前記容器を任意の高さに配置する支持部材と、
前記支持部材に接続し、前記容器を水平に保つための容器支持部材と、
前記容器支持部材に固定され、前記容器を係止する環状の枠を有する容器ホルダーと、
を有する美容器具収納スタンド。
【請求項２】
前記支持部材が、
長さを伸縮させる伸縮部、
を有する請求項１に記載の美容器具収納スタンド。
【請求項３】
美容器具の内、パーマロッド、ペーパーボックス、ペーパー、パーマゴム、ヘアカラー剤を収納する前記容器であって、
前記容器は、
美容器具を収納する容器を任意の高さに配置できる美容器具収納スタンドであって、美容ワゴンに取り付け、及び、取り外しができ、
前記美容ワゴンに脱着可能な係止部材と、
前記係止部材に接続し、前記容器を任意の高さに配置する支持部材と、
前記支持部材に接続し、前記容器を水平に保つため容器支持部材と、
前記容器支持部材に固定され、前記容器を係止する環状の枠を有する容器ホルダーと、
を有する美容器具収納スタンドの前記容器ホルダーに係止され、
所定の前記美容器具の内、ヘアコーム、ヘアカラー用ハケを係止する器具係止部を有すること、
を特徴とする容器。
【発明の詳細な説明】
【技術分野】
【０００１】本発明は、理美容室、育毛、増毛サロン、エステサロン、まつげパーマ店、まつげエクステ店等において、既存の器具や家具に自由自在に係止しすることができ、施術時に必要な美容道具をお客様の頭部の施術箇所近くに固定して、その美容道具を素早く取り出すことができる等、所望の場所に固定して、道具を素早く取り出すことができる器具収納スタンドに関する。
【背景技術】
【０００２】従来の美容作業で、パーマネント、ヘアカラー、縮毛矯正、ヘアセット等の作業は、美容道具を素早く取り出し、その道具を素早く戻す等の作業を５０回〜１００回以上繰り返す必要があり、また美容道具もロッド、ペーパー、ゴム、コーム、アイロン、ピン等が多くあり出し入れする作業が煩雑であった。
この作業を改良するために、一度にたくさんの理美容道具を置けるキャスター付きの一体化した大きなワゴンがあった。（例えば、特許文献１参照）
また、中央に格子四角筒型係止部、ロッド等係止部、小物係止部を設け、角度調節機構を備えた器具容器を上方に設けて、たくさんの美容道具を上部に置くことが出来るものがあった。（例えば、特許文献２参照）
【先行技術文献】
【特許文献】
【０００３】
【特許文献１】実開平７−３６９３５号  公報
【特許文献２】実用新案登録第３１５９０７１号  公報
【発明の概要】
【発明が解決しようとする課題】
【０００４】以上に述べた従来の理美容ワゴンでは、下記のような課題があるものであった。
美容作業をする為には従来の理美容ワゴンに美容道具を設置する必要があり、ワゴン全体を必ず利き手側に持ってくることが必要である。施術時の利き手は道具を取り出し、反対の手は髪の毛を持ったまま、片手で道具を取り出すという作業があり、パーマネント、ヘアカラー、縮毛矯正の施術時には理美容ワゴン上の美容道具を取り出すためにワゴンから施術箇所まで約１メートル〜１．２メートルの距離を往復する必要があった。
もし利き手側に壁や障害物がある場合、利き手側にワゴンを持ってくる事ができなく、利き手の反対にワゴンを置き作業を進行する必要がある。その為、利き手でワゴン上の道具を取り出す為に体と利き手を交差させて取り出す必要があるなど施術作業が繁雑であった。また別な方法では、施術者と別の補助員がそのワゴン上の美容道具を取り出し、施術者に一個一個手渡すという余分な補助員が必要なものであった。その補助員の存在がない事業所、又は補助員の手を借りることが出来ない時間帯は、聞き手の反対側にワゴンを持っていく方法でしか作業できなく、施術者の姿勢に負担がかかるものであった。
角度調節機構の付いた器具容器はナットを緩め、それを締めるという手間がかかるものであった。道具を入れるための軸部中央にロッド等係止具、先端に器具容器がある為倒れる危険性がある。
また縮毛矯正という施術時ではその道具を同じ回数分ワゴンに戻す作業がある。全ての美容施術の際には施術者は常に立ち位置を移動しながら作業を進行する必要があり、その都度ワゴン全体を何回も前後左右に移動させる必要があるものであった。美容ヘアカラー施術において薬剤の付いたハケをワゴン上から取り出し、髪に塗布する作業があるが、施術箇所まで距離が遠いため、お客様の身体や床に薬剤を落下させるという課題もあった。
１回の施術では必要な道具はほぼ決まっており、１回の施術で必要のない道具も置く装置が固定されている構造のため、不安定であり、床面積も多く必要とし作業効率の悪いものであった。
本発明は上記従来の構成が有していた問題を解決しようとするものであり、安全で軽量且つ、美容の作業時間が短い美容器具収納スタンドを実現することを目的とするものである。
【課題を解決するための手段】
【０００５】そして本発明は上記目的を達成するために、任意の場所に脱着可能な係止部材と、係止部材に接続し伸縮部と支持角度調節部を有する支持部材と支持部材を中心軸とした回動部と、容器角度調節部を有する容器支持部材と容器支持部材に回動可能に固定し、容器を係止する容器ホルダーとを設けたものである。
また、第２の解決手段は、器具保持部を有する容器を係止する容器ホルダーを設けたものである。また、第３の解決手段は、器具係止部を有する支持部材を設けたものである。【０００６】（１）係止部材としてクリップ等を用いる事により、既存のワゴンの一部、又は備え付け家具に簡単に取り付け、取り外しが容易になり、可搬性が向上する。
（２）支持部材としてアーム等を用いる事により、支持部材の角度を自在に調節することができ、指先でカップの位置を容易に調節することができ、操作性が向上する。
（３）容器支持部材は回動可能な角度調節を有するため、無段階に角度調節が簡単に出来る。また伸縮機能を有しているため、施術者の身長や姿勢の状態により、カップ位置を縦、横、斜め、に容易に変形し並べる事ができ施術者の作業効率に優れている。
カップの配置を縦に並べた時には容器支持部材と容器ホルダーの接続部の長さを変えたり伸縮機能の構造を追加したり、階段状にすることにより施術者の作業効率に優れている。また容器支持部材と容器ホルダーの接続部に伸縮機能を追加してもよい。
（４）容器ホルダーは回転式で、美容器具や薬剤が落ちないようにカップを常に水平に保つ効果がある。
（５）あらゆる美容道具をワゴンに置いて施術する従来の方法に比べて、本発明による施術では容器に必要最低限の美容道具を置いて施術することができる。【０００７】係止部材、支持部材、容器支持部材、容器ホルダーの材質はアルミ、ステンレス、メッキ等を用いることが出来る【０００８】容器はアルミ、メッキ、プラスチック等の水に強く、薬液等を簡単に洗い流せる素材であれば特に制限はない【０００９】係止部材の挟持部にはシリコン、ポリウレタン、低反発素材を取り付け、凹凸がある箇所にも安定した取り付けができる
【発明の効果】
【００１０】上述したように本発明は、施術者の手元に美容道具を置くことができ、安全で軽量且つ、美容の作業時間が短かい美容器具収納スタンドを提供できる。
（１）本発明の係止部材は、理美容室には必ずある道具を置くためのワゴンや店内設置の家具等の一部へ自由自在に係止し、簡単に移動や持ち運びができる。
（２）本発明の支持部材は、伸縮部及び／又は支持角度調節部を有するため、施術者が立ち位置を移動した場合もキャスター付きワゴン全体を動かすことなく、本発明品を指先だけで容器に入った道具を施術箇所の約１０センチ横のピンポイントに置くことができ、作業時間を短縮できる。また支持部材のアーム状に曲げることにより容器の真下は広い空間が出来る為、店内及び客椅子周りを有効利用できることと、支持部材に髪の毛を挟む器具としてダッカール、ピン等の道具を設置できる等、作業効率に優れている。
（３）本発明の容器支持部材は、支持部材を中心軸として回動し、及び／又は、容器角度調節部を有する為、容器の位置をあらゆる方向に置けることにより作業効率に優れている。
（４）本願構成により施術箇所と道具を置く容器との位置が最短距離になり、道具を素早く取り出だすことができるので、特にヘアカラー、縮毛矯正の施術には薬液の付いたハケや薬液の入ったスポイドを施術箇所と容器との間を何度も往復させる必要があるが、お客様に薬液が付着したり、床に薬剤を落とす等の液だれを防止できる等安全な美容器具収納スタンドを提供することができる。
（５）第１容器は、容器ホルダーに係止する容器であって、例えば、ロッド、ペーパー、使い捨てペーパーボックス、ゴム、ピン、ヘアカラー用銀紙等の直ぐに必要な道具だけを置くことで、装置全体を軽量化することができる。
（６）第１容器は、所定の器具を保持する器具保持部を有し、例えば、持ち手部分に穴を設けることによりコームやカラーハケを差し込む事ができ、コームやハケを床に落とした場合の予備道具として事前に設置できる。また容器には複数色のヘアカラー剤や縮毛矯正剤等の薬液を直接注入することもできるため、施術時には、別の容器を必要としなく作業性がよく、美容器具の収納性に優れている。【００１１】（７）本発明の容器ホルダーは、第１容器を脱着可能で、それによって容器同士を積み重ねて収納することができ、さらに容器を取り外した際に容器ホルダーへ、ヘアイロン、美容器具を引っ掛けて置くことができる等利便性に優れている。
（８）本発明の容器ホルダーは、環状の外形に沿って配置される照明部であって、下方を照らす照明部を設けている。
照明を配備することによって、デスク、家具、ベッドなどに設置し、暗い場所でのデスクワークや読書や軽作業もでき作業効率に優れる。
（９）本発明の器具係止部を有する支持部材は、毛束を止める為のダッカール、ヘアピン等の美容器具を係止して事前準備ができるので作業性に優れる。
（１０）本発明の第２容器は、容器ホルダーに係止する容器であって、他の部材に引っ掛けることができる取っ手部を有する。
容器には角度を付けた取っ手と、その先端に滑り止めゴムを取り付けたことによって、てこの原理でデスクや家具の一部に引っ掛けて設置が可能で、省スペース化に優れる。
本願構成は、理美容室に関わらず、特に一回の施術で、道具や薬剤を繰り返し取り出す施術を行う毛髪やまつげ等の専門店等に応用可能である。
【図面の簡単な説明】
【００１２】
【図１】本発明の実施形態を示す美容器具収納スタンドの外観図である。
【図２】同美容器具収納スタンドの容器ホルダーの外観図である。
【図３】同美容器具収納スタンドの支持部材の外観図である。
【図４】同美容器具収納スタンドの係止部材の外観図である。
【図５】同美容器具収納スタンドの係止部材の外観図である。
【図６】同美容器具収納スタンドの支持部材の伸縮部の外観図である。
【図７】同美容器具収納スタンドの支持部材と容器支持部材の接続を示す外観図である。
【図８】同美容器具収納スタンドの容器支持部材の外観図である。
【図９】同美容器具収納スタンドの容器と容器支持部材の外観図である。
【図１０】同美容器具収納スタンドの容器ホルダーの外観図である。
【図１１】同美容器具収納スタンドの使用状態を示す外観図である。
【図１２】実施形態を示す器具収納スタンドの外観図である。
【図１３】同器具収納スタンドの照明付容器ホルダーと、支持部材と、係止部材との接続を示す外観図である。
【図１４】同器具収納スタンドの容器を積み重ねた外観図である。
【図１５】同器具収納スタンドの容器を取り外し、デスクに引っ掛けて設置した外観図である。
【図１６】同器具収納スタンドの使用状態を示す外観図である。
【発明を実施するための形態】
【実施例１】
【００１３】本発明の実施の形態における美容器具収納スタンドについて、以下図面を参照しながら説明する。【００１４】図１について説明する。
係止部材１は既存の美容ワゴンや、備え付け家具の一部等、任意の場所に自由自在に脱着係止可能である。係止部材１に接続し、施術者の身長に合わせて高さを調節出来る伸縮部２と支持角度調節部３とを有する支持部材４と、さらに支持部材４を中心軸としてホルダー９を施術者の好みに合わせ、縦、横、斜め等任意に並べ替えることができる回動部５と、容器支持部材７の回転時に容器８を水平に保つ為の容器角度調節部６を有する容器支持部材７と、容器支持部材７に回動可能に固定し、薬剤等で汚れた容器８を洗浄する為に脱着させることができる容器ホルダー９とを設けた構成としている。【００１５】図２について説明する。
容器ホルダー９に係止する容器８に、美容道具を床に落とした時の事前準備できる容器８と一体化して、ヘアコームやヘアカラー用ハケ等を設置できる器具係止部１０を設けた構成としている。ヘアコームやヘアカラー用ハケは施術時に施術者の手から床に落とすことが頻繁であるが、予備道具として設置でき、代替えの道具を取りに行く必要がなく時間短縮に優れる。【００１６】図３について説明する。
器具保持部１１を有する支持部材４を設けた構成としている。器具保持部１１は一人のお客様に対して髪を止める為の美容道具であるダッカール４０を５本程度使用するが、施術時に施術者の手から床に落とすことが頻繁である為、器具保持部１１にダッカール４０を予備道具として事前に準備ができる。【００１７】図４について説明する。
係止部材１から接続器具Ａ１３と接続器具Ｂ１４と接続器具Ｃ１５の器具によって接続され、支持部材４はナットＡ１７によって接続器具Ｄ１８の器具と接続し、自由自在に角度調節ができ、従来の美容ワゴンや店内家具に係止することができる。係止部材保護材１６の材質としてシリコン、ポリウレタン、低反発素材等を用いる事により美容器具収納スタンド全体を安定した係止することができる。
係止部材１として金属製のクリップを用いて自由自在に脱着可能としているが、万力、吸盤構造でも同様の効果を発揮することができ、他の材質としてプラスチックやゴムも利用できる。【００１８】図５について説明する。
係止部材１と接続器具Ａ１３の器具をネジＡ１９で接続を示し、接続器具Ａ１３を回転軸として支持部材４を３６０℃回動させることができ自由自在に角度調節でき作業効率に優れている。【００１９】図６について説明する。
支持部材４は蛇腹構造、又は多関節構造で自由自在に形状を変えて角度調節ができ、材質はステンレス、アルミニウム等で形成できる。伸縮部固定具１２は支持部材４全体の長さを伸縮できる構造で、施術者の身長に合わせることができ美容作業が向上する。伸縮部を任意の長さで固定するために伸縮部固定具１２を設けた構成としている。【００２０】図７について説明する。
容器支持部材７は蛇腹構造、又は多関節構造で自由自在に形状を変えて角度調節ができ、材質はステンレス、アルミニウム等で形成できる。支持部材４と容器支持部材７とを接続するために、接続器具Ｅ２５にネジＢ２２とネジＣ２３にナットＢ２０とナットＣ２１で固定する。接続器具Ｅ２５の回転軸によって容器支持部材７を施術者の好みの立ち位置によって回転させることができ、容器支持部材７を任意の位置に固定する固定ボルト２４を設けた構成としている。【００２１】図８について説明する。
容器支持部材７と容器ホルダー９との回転軸の接続と、容器支持部材７の回動時に容器ホルダー９を水平に維持する為に接続器具Ｆ２７と接続器具Ｇ３１とネジＦ３２とナットＤ２８を回転軸として設けた構成としている。容器ホルダー９を水平に保つことにより、容器８も水平に保つことができ容器８に美容器具を収納した際に美容器具の転落や液だれを防ぐことができる。
容器支持部材７と接続器具Ｇ３１を固定する為にネジＥ３０とナットＥ２９を設けた構成としている。容器８と容器ホルダー９の材質はステンレス、アルミニウム、金属、ゴム製、合金製、木製等で形成できる。【００２２】図９について説明する。
容器８にペーパーボックス３４、ペーパー３５、ヘアカラー剤３６、ヘアゴム３７、パーマロッド３８の美容器具の設置を示した図であり、前記構成によって施術者の手元近くに美容器具を収納し施術時間を短縮する事が出来る。ヘアコーム３３は器具係止部１０に差し込んで置いておくことができ、ダッカール４０は容器支持部材７に係止することができる。容器支持部材７は自由自在に形状を変えることができるので、容器８を施術者の好みの位置に並べ替えることができ作業効率に優れる。【００２３】図１０について説明する。
容器８を取り外し、容器ホルダー９にヘアアイロン３９を設置し、容器支持部材７を変形させ容器８の置を三角形に並べた図である。縮毛矯正の施術に使用するヘアアイロン３９は１００回以上取り出し、同じ回数を元へ戻す作業がある為、作業効率に優れる。【００２４】図１１について説明する。
本発明の美容器具収納スタンドを用いて施術する場合は、係止部材１をキャスター付きワゴン４１に係止し、支持部材４と容器支持部材７を任意の方向に角度調節をして、美容器具を収納する容器８をお客様の頭部の施術箇所近くに固定して施術する。
従来の施術作業はキャスター付きワゴン４１の最上部のスペースに美容器具一式を置いて施術を進行しており、施術箇所までの距離が遠く、施術者が首を捻り美容器具を目視しながら取り出しを繰り返す作業であり、またお客様の頭頂部と左右の側頭部等、施術者が施術箇所を移動すると同時にキャスター付きワゴン４１も一緒に移動させるというものであったが、本発明の美容器具収納スタンドによる施術作業は、繰り返し使用する美容器具だけを置くことができ、大きなキャスター付きワゴン４１を移動させることなく美容器具をお客様の頭部の施術箇所の近くに固定するため、施術者が移動することなくキャスター付きワゴン４１も移動する必要がない。本発明によると、作業効率に優れ、施術のための補助員の必要もなく軽量な美容器具収納スタンドを提供できる。
【実施例２】
【００２６】図１２について説明する。
係止部材４２は既存のデスクや、備え付け家具の一部等、任意の場所に自由自在に脱着係止可能である。係止部材４２へ支持部材４３を差し込み、固定と３６０度回動する。接続器具４４で係止部材４３と支持部材４５と接続し、接続器具５０で持部材４５と支持部材４６を接続し、接続器具４４と接続器具５０で角度と高さ調節ができる。支持部材４６と照明付容器ホルダー４８とを接続する接続器具７７によって角度調節ができる。容器４７は照明付ホルダー４８や引っ掛けホルダー５１へ自在に脱着でき、文具等の小物をデスク上に置くことなく整理整頓できることに優れる。容器４９は脱着可能を示す図である。本発明の器具収納スタンドの素材は、金属、プラスチック、ゴム、アルミニウム、木製で形成できる。
図１３について説明する。
係止部材４２へ支持部材４３を支持部材固定穴５２へ差し込み全体の固定と回動機能を設けている。係止部材４３と支持部材４５を接続するために、ネジ穴７９にネジ５３とをネジ５４とボルト５５とボルト５６で接続器具５７と接続器具５８で角度調節を可能にした。係止部材４５と支持部材４６を接続するために、ネジ穴６７とネジ穴６９にネジ６２とをネジ６３とボルトルト６６で接続器具６４と接続器具６８で角度調節を可能にした。係止部材４６と照明付ホルダー４８を接続するために、ネジ穴７０とネジ穴７７にネジ７２とネジ７３とボルト７４とボルト７５で接続器具７１と接続器具７６で角度調節を可能にした。脱着機能設けた容器４７は係止部材４５とを接続するために、ネジ穴６１にネジ５９とボルト６０で固定する。照明付ホルダー４８に下方に明かりを照らすためのＬＥＤ電球８７を環状の外形に沿って配置し、暗い場所での筆記や読書や軽作業もでき、作業効率に優れる。
配線コンセント８５は支持部材固定穴５２の中心から、支持部材４３と支持部材４５と支持部材４６中を通し、照明付容器ホルダー４８へ接続される。
図１４について説明する。
容器４７の二つの容器が積み重ねて整理できることを示し、取っ手８１の先端に滑り止めゴム８０を取り付けた図である。  容器４７を三角形状にすることによって明かりを照らす範囲の妨げを防ぐことができる。
図１５について説明する。
容器４７に滑り止めゴム８１のつけたことによってデスク８２の一部にも設置でき、取っ手８１の形状に角度をつけ、てこの原理によって安定した設置で省スペース化に優れる。
図１６について説明する。
本発明の器具収納スタンドを用いて使用する場合は、係止部材４２をデスク８２や家具等に係止し、照明付ホルダー４８に容器４７をはめ込み、筆記用具８４や観葉植物８８や携帯電話８６等のあらゆる小物を浮かせて収納でき、デスク上のスペースを有効利用することに優れる。容器４７は複数個用意し、使用頻度の高い小物は照明付ホルダー４８へ差し込み、自在に手元近くに設置できるよう角度調節ができる。使用頻度の低い小物は、引っ掛けホルダー５１やデスク８２に設置することができ、容器の設置場所を自在に入れ替えることができる。またパソコン８３やキーボード８４が設置されていてもデスク上のスペースを有効利用することに優れる。係止部材４２は脱着できるため、デスク上の利用に限らず、生活空間、受付カウンター等でも整理整頓と照明の確保が同時にできることに優れる。
【産業上の利用可能性】
【００２５】理美容室分野以外に、容器ホルダーにチューブタイプのＬＥＤの照明器具を取り付けすることにより医療分野、事務用品分野、車輌分野等に幅広く応用が可能である。
製造業の製造過程での細かな部品を置くことができ、車内、電車内・飛行機内等の乗り物の座席周り、物販販売店での精算時のレジ周り、台所・風呂場等日常生活の場所、飲食店の厨房、テーブル等に係止し、身体全体を動かすことなく、色んな道具や小物をピンポイントに置くことができ様々な分野に応用可能である。
【符号の説明】
【００２６】１  係止部材
２  伸縮部
３  支持角度調節部
４  支持部材
５  回動部
６  容器角度調節部
７  容器支持部材
８  容器
９  容器ホルダー
１０  器具係止部
１１  器具保持部
１２  伸縮部固定具
１３  接続器具Ａ
１４  接続器具Ｂ
１５  接続器具Ｃ
１６  係止部材保護材
１７  ナットＡ
１８  接続器具Ｄ
１９  ネジＡ
２０  ナットＢ
２１  ナットＣ
２２  ネジＢ
２３  ネジＣ
２４  固定ボルト
２５  接続器具Ｅ
２６  ネジＤ
２７  接続器具Ｆ
２８  ナットＤ
２９  ナットＥ
３０  ネジＥ
３１  接続器具Ｇ
３２  ネジＦ
３３  ヘアコーム
３４  ペーパーボックス
３５  ペーパー
３６  ヘアカラー剤
３７  ヘアゴム
３８  パーマロッド
３９  ヘアアイロン
４０  ダッカール
４１  キャスター付きワゴン
４２  係止部材
４３  支持部材
４４  接続器具
４５  支持部材
４６  支持部材
４７  容器
４８  照明付容器ホルダー
４９  容器
５０  接続器具
５１  引っ掛けホルダー
５２  支持部材固定穴
５３  ネジ
５４  ネジ
５５  ボルト
５６  ボルト
５７  接続器具
５８  接続器具
５９  ネジ
６０  ボルト
６１  ネジ穴
６２  ネジ
６３  ネジ
６４  接続器具
６５  ボルト
６６  ボルト
６７  ネジ穴
６８  接続器具
６９  ネジ穴
７０  ネジ穴
７１  接続器具
７２  ネジ
７３  ネジ
７４  ボルト
７５  ボルト
７６  接続器具
７７  ネジ穴
７８  ネジ穴
７９  ネジ穴
８０  滑り止めゴム
８１  取っ手
８２  デスク
８３  パソコン
８４  キーボード
８５  コンセント配線
８６  携帯電話
８７  ＬＥＤ電球
８８  観葉植物
【図１】
0006318322.tif 000002
【図２】
0006318322.tif 000003
【図３】
0006318322.tif 000004
【図４】
0006318322.tif 000005
【図５】
0006318322.tif 000006
【図６】
0006318322.tif 000007
【図７】
0006318322.tif 000008
【図８】
0006318322.tif 000009
【図９】
0006318322.tif 000010
【図１０】
0006318322.tif 000011
【図１１】
0006318322.tif 000012
【図１２】
0006318322.tif 000013
【図１３】
0006318322.tif 000014
【図１４】
0006318322.tif 000015
【図１５】
0006318322.tif 000016
【図１６】
0006318322.tif 000017